Podtech/llm-jp-corpus-v4-ja_patent huggingface dataset:
(57)【要約】【目的】簡単な構造で且つ低コストで、防虫効果を得る。【構成】取付板２と、該取付板に固定された支持台３と、該支持台の上部に配設された端子台４と、端子台の近傍で前記取付板に設けられた配線口５と、支持台３の下部に水平方向および垂直方向に回動自在に装着された光学系ハウジング９と、前記取付板に着脱自在に装着されたカバー１０とを備え、前記支持台３の端部３ａの形状をカバー１０の水平断面の形状に合わせた構成。【選択図】図１
2006039627.tif 000002
【特許請求の範囲】
【請求項１】
取付板と、該取付板に固定された支持台と、該支持台の上部に配設された端子台と、端子台の近傍で前記取付板に設けられた配線口と、前記支持台の下部に水平方向および垂直方向に回動自在に装着された光学系ハウジングと、前記取付板に着脱自在に装着されたカバーとを備え、前記支持台の端部の形状を前記カバーの水平断面の形状に合わせたことを特徴とするビームセンサの防虫構造。
【発明の詳細な説明】
【技術分野】
【０００１】
本発明は、ビームセンサの防虫構造に関する。
【背景技術】
【０００２】
ビームセンサは、投光器と受光器からなる防犯警報装置であり、投光器は赤外線発光素子及び凹面鏡、レンズ等の光学系を備え、受光器は赤外線受光素子及び凹面鏡、レンズ等の光学系を備えている。そして、投光器と受光器とを対向するように配置し、投光器から投光された赤外線ビームを受光器で検出し、その検出値が所定値以下の場合には侵入者有りとして警報を発するように構成している。
【０００３】
上記ビームセンサは、通常、屋外に設置するため配線挿入孔を通って蟻などの虫が侵入してしまうという問題を有し、光学系に巣を作ってしまうと誤作動の原因となってしまう。特に投光器側は赤外線ビームを発光するため暖かい環境にありこの問題が深刻となっている。
【０００４】
そこで、配線挿入孔をゴム等の材料で塞ぐことも考えられるが、配線の太さや本数によっては完全に塞ぐことは困難であり、また、長年の使用によりゴムが劣化し隙間が生じてしまう。また、特許文献１においては、配線挿入孔に害虫防除剤を塗布したシートを貼り付ける提案をしている。
【特許文献１】特開２０００−２２２６４５
【発明の開示】
【発明が解決しようとする課題】
【０００５】
しかしながら、上記特許文献１においては、長年の使用により害虫防除剤の効能が低下してしまうという問題を有している。
【０００６】
本発明は、上記従来の問題を解決するものであって、簡単な構造で且つ低コストで、防虫効果を得ることができるビームセンサの防虫構造を提供することを目的とする。
【課題を解決するための手段】
【０００７】
上記目的を達成するために、本発明のビームセンサの防虫構造は、取付板と、該取付板に固定された支持台と、該支持台の上部に配設された端子台と、端子台の近傍で前記取付板に設けられた配線口と、前記支持台の下部に水平方向および垂直方向に回動自在に装着された光学系ハウジングと、前記取付板に着脱自在に装着されたカバーとを備え、前記支持台の端部の形状を前記カバーの水平断面の形状に合わせたことを特徴とする。
【発明の効果】
【０００８】
本発明においては、配線口から蟻などの虫が侵入しても、虫は支持台で遮られ光学系ハウジング内には入り込めない構造となるので、簡単な構造で且つ低コストで、防虫効果を得ることができる。
【発明を実施するための最良の形態】
【０００９】
以下、本発明の実施の形態を図面を参照しつつ説明する。図１は、本発明のビームセンサの防虫構造の１実施形態を示し、図（A）は斜視図、図（B）は断面図である。
【００１０】
ビームセンサ１は、取付板２と、取付板２に固定された支持台３と、支持台３の上部に配設された端子台４とからなり、端子台４の内部には電源回路及び駆動回路等の回路が収納されている。端子台４の近傍で取付板２には配線口５が設けられている。また、支持台３の下部には、ターンテーブル６が水平方向に回動自在に装着され、ターンテーブル６には一対の支持アーム７が固定され、一対の支持アーム７に光学系ハウジング９が垂直方向に回動自在に装着されている。光学系ハウジング９の内部にはミラー又はレンズおよび発光素子又は受光素子（図示せず）が設けられている。取付板２にはカバー１０が着脱自在に装着される構成になっている。
【００１１】
上記構成からなるビームセンサ１は、投光器と受光器の一対をそれぞれポールに固定し、６０ｍ〜２００ｍの間隔を離して設置する。この場合、作業者は投光器および受光器の光学系ハウジング９が対向するようにターンテーブル６を水平方向に回動し、また、光学系ハウジング９を垂直方向に回動するようにしている。
【００１２】
本発明においては、支持台３の端部３ａの形状をカバー１０の水平断面の形状、例えば断面略半円形状に合わせることにより、両者の間に隙間が生じないようにしている。従って、配線口５から蟻などの虫が侵入しても、虫は支持台３で遮られ光学系ハウジング９内には入り込めない構造となるので、ビームセンサの誤作動を防止することができる。なお、支持台３の端部３ａとカバー１０との間にゴム、スポンジ等のシール材を設けてもよい。
【図面の簡単な説明】
【００１３】
【図１】本発明のビームセンサの防虫構造の１実施形態を示し、図（A）は斜視図、図（B）は断面図である。
【符号の説明】
【００１４】
２…取付板、３…支持台、３ａ…端部、５…配線口、９…光学系ハウジング
１０…カバー
【図１】
2006039627.tif 000003
(57)【要約】    【課題】  賊がトイレの窓から屋内に侵入する前に、この賊を検知・威嚇できる防犯装置を提供すること。    【解決手段】  トイレ室１０の窓１４を照準するセンサー４４により、前記窓１４から侵入せんとする賊を検知して警報を発する防犯装置を提供する。前記センサー４４は、前記トイレ室１０に設置された便器２０上に装着された温水洗浄便座装置３０を作動させるために前記トイレ室１０の壁面１２に設置されたリモコン装置４０に内蔵されている。【選択図】  図１
2006039757.tif 000002
【特許請求の範囲】
【請求項１】
トイレ室の窓を照準するセンサーにより、前記窓から侵入せんとする侵入者を検知して警報を発する防犯装置において、前記センサーは、前記トイレ室に設置された便器上に装着された温水洗浄便座装置を作動させるために前記トイレ室の壁面に設置されたリモコン装置に内蔵されていることを特徴とする防犯装置。
【請求項２】
トイレ室の窓を照準するセンサーと、該センサーにより検知された検知情報に基づいて前記窓から侵入する侵入者の有無を判断する判断手段と、該判断手段によって前記窓から侵入する侵入者がいるものと判断されたときに警報音を発する警報装置とを具備することを特徴とする防犯装置。
【発明の詳細な説明】
【技術分野】
【０００１】
本発明は、防犯装置に関し、特にトイレ室の窓からの侵入を防止する防犯装置に関する。
【背景技術】
【０００２】
例えば、特許文献１に開示された防犯装置は、トイレの窓近傍の屋内側に設けた検知領域において賊（侵入者）の有無を検出する侵入警戒センサーと、トイレの天井に設置される照明器具と、人体から放射される熱線を検出することにより照明器具の照明エリアにおける人の存否を検出する人感センサーと、警報音を発生する警報音発生部と、侵入警戒センサー及び人感センサーの検出結果に基づいて照明器具及び警報音発生部の動作を制御する制御部とを備える。そして、制御部は、侵入警戒センサーが賊を検出すると、照明器具を点灯させるとともに警報音発生部から警報音を発生させ、光と音とで賊を威嚇するようになっている。
【特許文献１】特開２００３−１６５４２号公報
【発明の開示】
【発明が解決しようとする課題】
【０００３】
確かに特許文献１に開示された防犯装置は、侵入警戒センサーが賊を検出すると、照明器具を点灯させるとともに警報音発生部から警報音を発生させ、光と音とで賊を威嚇するものであり、しかも、従来、盲点であったトイレへの侵入防止に着目した点では、賞賛に値するものと言わねばならない。しかしながら、照明器具を点灯させるとともに警報音発生部から警報音を発生させて、光と音による賊への威嚇がなされるのは、侵入警戒センサーが、屋内に入った賊を検出した時点であるので、威嚇の時点が遅すぎるという不具合がある。
【０００４】
それ故に、本発明は、トイレ内への侵入前に賊を威嚇できる防犯装置を提供することを、その技術的課題とする。
【課題を解決するための手段】
【０００５】
上記の課題を解決するために講じた技術的手段は、請求項１に記載のように、
「トイレ室の窓を照準するセンサーにより、前記窓から侵入せんとする侵入者を検知して警報を発する防犯装置において、前記センサーは、前記トイレ室に設置された便器上に装着された温水洗浄便座装置を作動させるために前記トイレ室の壁面に設置されたリモコン装置に内蔵されていることを特徴とする防犯装置」
を構成したことである。
【０００６】
また、上記の課題を解決するために講じた技術的手段は、請求項２に記載のように、
「トイレ室の窓を照準するセンサーと、該センサーにより検知された検知情報に基づいて前記窓から侵入する侵入者の有無を判断する判断手段と、該判断手段によって前記窓から侵入する侵入者がいるものと判断されたときに警報音を発する警報装置とを具備することを特徴とする防犯装置」
を構成したことである。
【発明の効果】
【０００７】
請求項１及び２に記載の発明によれば、トイレ室の窓を照準するセンサーにより、前記窓から侵入せんとする侵入者を検知するので、侵入者のトイレ室内に侵入前に威嚇することができる。
【０００８】
特に、請求項１に記載の発明によれば、トイレ室に設置された便器上に装着された温水洗浄便座装置を作動させるためにトイレ室の壁面に設置されたリモコン装置に、侵入者検知用のセンサーを内蔵するので、当該センサーの設置位置の腐心、設置工事から解放され、また、警報装置の主要部を、リモコン装置内に組み込むことが出来る。
【発明を実施するための最良の形態】
【０００９】
以下、本発明を実施するための最良の形態を、図面を基に説明する。
【００１０】
図１及び図２において、トイレ室１０内には、便器２０が設置されており、この便器２０の上には、温水洗浄便座装置３０が装着されている。温水洗浄便座装置３０は、周知のように、リモコン装置４０の発光部４２から照射された赤外線信号を受光部３２で受けて、その信号内容に応じて、所定の作動（例：肛門洗浄・ビデ洗浄・温風乾燥等）を行う。リモコン装置４０は、トイレ室１０の壁面１２にフックの態様で吊架されている。
【００１１】
トイレ室１０の壁面１２にフックの態様で吊架されているとき、リモコン装置４０のセンサー部４４は、トイレ室の窓ガラス１４を照準する。センサー部４４の発光部４４ａからは、常時、赤外線が照射されており、この赤外線は、窓ガラス１４に反射して、センサー部４４の受光部４４ｂにて検知される。
【００１２】
センサー部４４の受光部４４ｂにて検知されなくなると、リモコン装置４０内のＣＰＵ５０は、窓ガラス１４が破られてトイレ室１０内への侵入を企てる賊（侵入者）がいると判断し、リモコン装置４０内の警報装置５２を作動させて、警報音を発し、周囲に警報を発すると共に賊を威嚇するようになっている。
【００１３】
尚、センサー部４４の発光部４４ａは可動式となっており、窓１８の位置に対応して、赤外線の発光方向を変更できるようにしている。
【図面の簡単な説明】
【００１４】
【図１】：  本発明の実施形態に係る防犯装置の概観斜視図である。
【図２】：  本発明の実施形態に係る防犯装置のブロック回路図である。
【符号の説明】
【００１５】
１０：トイレ室
１２：壁面
１８：窓
２０：便器
３０：温水洗浄便座装置
４０：リモコン装置
４４：センサー部
５０：ＣＰＵ（判断手段）
【図１】
2006039757.tif 000003
【図２】
2006039757.tif 000004
(57)【要約】【目的】  ビス止めを廃止し、可能な限り広面積を有した平面基板で、機構部品と回路基板の接続を容易にする。【構成】  ミラーボックス１側面に約同一形状の２個のモータ２及び３を並列に設置して、前記モータ２及び３のエンド部２ａ、３ａのモータ軸受けの突起部２ｂ及び３ｂが嵌入でき、電気入力端子２ｃ及び３ｃは貫通可能な穴を有し、当該電気入力端子２ｃ及び３ｃは夫々ハードプリント回路基板４表面の半田ランド４ｂに半田溶着せしめて固定させ、電子部品を搭載した平面部を前記二つのモータ２及び３の間に載架固定した。【選択図】図１
2006039236.tif 000002
【特許請求の範囲】
【請求項１】
ミラーボックス側面に約同一形状の２個のモータを並列に設置して成す一眼レフカメラにおいて、前記モータのエンド部の突設軸受け部が嵌入でき、入力端子片は貫通可能な穴を有し、当該端子片はそれぞれ表面の半田ランドに半田溶着せしめて固定可能なプリント回路基板であって、電子部品を搭載した平面部を前記二つのモータの間に載架固定したことを特徴とする一眼レフカメラの回路基板の取付機構。
【発明の詳細な説明】
【技術分野】
【０００１】
本発明は一眼レフカメラの、特にクイックリターンミラーとシャッターユニットの駆動に夫々２個のモータを使用しているカメラの基板の配置と固定方法に関する。
【背景技術】
【０００２】
電動式一眼レフカメラのカメラメイン基板はトップカバーの下にフレキシブルプリント基板を用いて敷設されることが多いが、屈曲部が多く電子部品の実装の有効面積に限界があった。
【０００３】
近年、カメラに固体撮像素子を用いるようになりカメラ内部の部品の配置自由度が増したことで、カメラメイン基板にハードプリント基板を多用する傾向にあるが、基板を固定するためにビスを使用することやシャッター、クイックリターンミラー等の駆動用モータからはリード線を使って基板とつなぐ必要があり、部品点数や組立行程数が多くかかっていた。
【０００４】
上記問題の解決策として、特開２００１−３０５６３１号公報では、２枚の電子基板の一方に凸部を設け、他方にそれと嵌合する開口部を設け、夫々の基板を嵌合した状態で嵌合部付近に隣接させた半田ランド部を設け夫々の基板を機械的、電気的に接続する技術が提案されているが、電子基板に凸形状を設けることは容易ではなくまた、基板同士の段差が大きく半田接続性にも問題がある。
【特許文献１】特開２００１−３０５６３１号公報
【発明の開示】
【発明が解決しようとする課題】
【０００５】
本発明では一眼レフカメラの回路基板において機構部品を支持部材として用いることによりビス止めを廃止し、可能な限り広面積を有した平面基板で、機構部品と回路基板の接続を容易にすることを解決課題にしている。
【課題を解決するための手段】
【０００６】
上記課題を解決するために、本発明ではミラーボックス側面に約同一形状の２個のモータを並列に設置して成す一眼レフカメラにおいて、前記モータのエンド部の突設軸受け部が嵌入でき、入力端子片は貫通可能な穴を有し、当該端子片はそれぞれ表面の半田ランドに半田溶着せしめて固定可能なプリント回路基板であって、電子部品を搭載した平面部を前記二つのモータの間に載架固定した。
【発明の効果】
【０００７】
本発明は、ミラーボックス側面に約同一形状の２個のモータを並列に設置して成す一眼レフカメラにおいて、前記モータのエンド部の突設軸受け部が嵌入でき、入力端子片は貫通可能な穴を有し、当該端子片はそれぞれ表面の半田ランドに半田溶着せしめて固定可能なプリント回路基板であって、電子部品を搭載した平面部を前記二つのモータの間に載架固定したので、リード線による電気ロスが無く、固定のためのビスが不要となり、構造部材に基板固定のための形状も不要でカメラの構成を単純にできるため組立性が向上する。
【発明を実施するための最良の形態】
【０００８】
以下、図面等を参照して本発明の最も良好な実施形態を説明する。
【０００９】
図１は、本発明の一眼レフカメラの回路基盤の固定方法を示した分解斜視図であって、図２は図１の一眼レフカメラの回路基板を搭載した状態を示す斜視図である。
【００１０】
図１はモータベース５を固定しているミラーボックス１からなるミラーボックスユニットとハードプリント基板からなる回路基板の構成を示しており、２および３はミラーボックス１内の不図示のクイックリターンミラー及びシャッター機構を夫々駆動させる同一形状のモータ、４はモータ２及び３を制御する回路を含む回路基板で、導体がプリントされたハードプリント回路基板、５はモータ２およびモータ３を夫々固定しているモータベースである。
【００１１】
図１において、機構部材であるモータ２および３は夫々その出力軸を内側に向けて、図示されない複数本のビスによりモータベース５に固定されている。モータ２および３のエンド部２ａ、３ａにはモータ軸受けの突起部２ｂ、３ｂ、モータの電気入力端子２ｃ、３ｃを有している。また、モータベース５はモータ２および３と同じくミラーボックス１本体に複数本のビスにより固定されている。
【００１２】
ハードプリント回路基板４にはモータ２及び３の取付固定位置に対応した位置にモータ軸受けの突起部２ｂ、３ｂが嵌入できる端子穴４ａを有し、裏面をモータ２及び３のエンド部２ａ及び３ａに密着せしめた時、モータ２及び３の電気入力端子２ｃ及び３ｃのそれぞれの端子片が貫通し、突出可能な４つの端子穴４ｂを有していて、表面では電機入力端子２ｃ及び３ｃに半田付け可能な半田ランドが設けられ回路を構成している。
【００１３】
図２に示すように二つの端子穴４ａをモータ２及び３のモータ軸受けの突起部２ｂ及び３ｂに挿入し、電機入力端子２ｃ及び３ｃを表面の半田ランド４ｂに半田溶着した状態でモータ２とモータ３の間に載架するハードプリント回路基板４はビスを使用しないで強固に固定でき、組立がすこぶる簡易化される。
【００１４】
以上説明したように、構造部材を用いなくともハードプリント回路基板４を確実に保持すると共に、リード線部材を用いなくともハードプリント回路基板４からモータ２および３夫々へ電力供給を行なうことができる。
【００１５】
なお、図中ではハードプリント基板を使用しているが、電子部品を表面的に搭載可能なフレキシブルプリント基板であっても良い。また、カメラ制御基板以外の電源基板、中継基板等であっても構わない。また、本発明における基板配置により、その側近へ他の構造部材に取り付けられた基板の併設が容易となることは言うまでもない。
【図面の簡単な説明】
【００１６】
【図１】一眼レフカメラの回路基盤の固定方法を示した分解斜視図である。
【図２】一眼レフカメラの回路基板を搭載した状態を示す斜視図である。
【符号の説明】
【００１７】
１  ミラーボックス
２  モータ
３  モータ
４  ハードプリント回路基板
５  モータベース
【図１】
2006039236.tif 000003
【図２】
2006039236.tif 000004
(57)【要約】【課題】高齢者や歩行不自由者の歩行中、小さな段差などでつまずき転倒し骨折や怪我をすることが多い。これを未然に認知しつまずき転倒を回避できる履物を開発することである。【解決手段】履物のつま先に照射・照明灯を装着し、この照明灯の電源は交換容易な小型軽量のボタン電池、充電電池などを履物内に装着し、ＯＮ−ＯＦＦスイッチで点滅できる簡単な履物と暗所や動作で点滅するオートセンサー付きの高齢者や歩行不自由者用の履物を開発することである。【選択図】図１
2006288783.tif 000002
【特許請求の範囲】
【請求項１】
履物の先端にＬＥＤなどの前方照明灯を備え、つま先の歩行路面を履物の視線で照射することで僅かな段差や凹凸、石ころなどのけつまずき障害物がよく見えることを特徴とする履物。
【請求項２】
請求項１に記載の履物において、前方照明灯の電源はボタン型電池や充電型電池などの電池を履物内に装着し、交換が容易にでき、しかも電源のＯＮ／ＯＦＦは履物表皮に防水押しボタンスイッチを装着してなることを特徴とする履物。
【請求項３】
請求項１及び請求項２に記載の履物において、前方照明灯の点灯は履物内に装着した防水型光センサーにより足元が暗くなると待機作動状態になり、さらに履物内に装着した防水型赤外センサーにより履物に近づいたり、履物をはくとき、又は歩行などの動作を感知して自動点灯する。加えて履物が静止状態では、少しの時間をおいて自動的に消灯させて電池の消耗を避けることを特徴とする履物。
【請求項４】
請求項１、２及び請求項３記載に加えて充電型電池装着の場合、充電器を履物台として
常に電池に十分充電しておくことができることを特徴とする履物。
【請求項５】
請求項１、２、３及び請求項４の機能を備えた前方照明灯は通常の履物にも取り付けられる簡易型として外付け型でも対応できる。
【発明の詳細な説明】
【技術分野】
【０００１】
本発明は、高齢者や身障者などの歩行中、小さな段差や小さな凹凸路面でつまずき転倒し骨折や怪我をすることが多い、この微小段差や微小凹凸面を照射・照明することにより浮かび上がらせ、危険を未然に知ることができ、危険を回避できる前方照明付き履物に関する。
【背景技術】
【０００２】
従来の履物のほとんどのものには照明付きのものはないが、一部に照明付き履物や発光靴が提案されいるが、これらは歩行者の存在認知の履物で歩行前方の危険物を照射・照明のものは存在しなかった。例えば、特許文献１、２及び３参照
【０００３】
【特許文献１】特開平１０−１９２０１０号公報
【特許文献２】特開２００４−２２９７７６公報
【特許文献３】特開平１０−２２５３０５公報
【発明の開示】
【発明が解決しようとする課題】
【０００４】
解決しょうとする課題は、高齢者や歩行不自由者などの歩行中、小さな段差や小さな凹凸路面でつまずき転倒し骨折や怪我をすることが多い。この微小段差や微小凹凸面を照射することにより障害物を浮かび上がらせ、危険を未然に認知し、つまずき転倒を回避できる前方照射・照明付き履物を開発することである。
【課題を解決するための手段】
【０００５】
本発明は、履物視線位置で歩行前方を照射・照明し、歩行面の段差や凹凸又は石ころなどの障害物を浮かび上がらせる履物を開発することである。即ち、履物のつま先に照明灯を装着し、この照明灯の電源は交換容易な小型軽量のボタン電池、充電電池などを履物内に装着し、ＯＮ−ＯＦＦスイッチで点滅できる簡単な履物と暗所や動作で点滅するオートセンサー付きの高齢者や歩行不自由者用の履物を製作することである。
【発明の効果】
【０００６】
高齢者や足不自由者が屋内外を歩行するとき、屋外では小さな段差１０、凹凸や石ころなど、又屋内では敷居、ジューウタンなどの敷物の段差にけつまずき転倒し、骨折や怪我を引き起こすことが多い。本発明は、これらの障害物を歩行者が事前に認知し被害を未然に防止するために、履物視線の低位置で歩行先前方を照射・照明１１することにより、障害物を明確に浮かび上がらせることができ、つまずき転倒防止ができる効果がある。
【発明を実施するための最良の形態】
【０００７】
以下、本発明の実施形態を図１、図２に基づいて説明する。
図１は、歩行先前方をＬＥＤなどの照射・照明灯２を備えた障害物認知靴１（ほたる靴）の側面図であり、図２は、充電器を兼用した履物置き台（靴置き台）１５に履物（靴）１をセットした側面図を示す。
ここでは、本発明に係わる履物の代表の一例として、靴を取り上げるているが、他の履物にも適用できる。
【０００８】
図１において、靴１のつま先にはＬＥＤなどの照射・照明灯２を備えており、この電源には、ボタン電池３とセンサー制御部６が靴の甲の中当て内にチャック袋を設けて、その中に収納してある。これらは靴底７に収納してもよい。
又防水性電源スイッチ４はチャック付き足止め蓋に装着してある。更に自動点滅センサー５は靴の甲表皮に装着した防水透明窓内に配置してある。
【０００９】
この自動点滅センサー５は光センサーと赤外線センサーが内蔵してある。
靴の踵７には充電用二端子（＋−の端子）１３が設けている。
これは図２の充電靴置き台１５は傾斜面１８に靴を置くことにより、靴の踵の端子１３と充電器端子１４とが互いに接続し、家庭電源１９を利用して充電できるようにしてある。  
【００１０】
充電用電池はボタン電池より大きいので、踵７の内部に挿入できる電池ケースを設けている。この電池は靴底敷き１６を取り出し交換できるようにしてある。
自動点滅センサー５は靴の踵７や側表皮面８に装着することもできる。
【００１１】
このように構成した靴１は使用時において、暗所では歩行などの動作により自動点灯し、歩行前方路面を照射・照明することができ、段差、凹凸、石ころや敷居などの障害物を明確に浮かび上がらせることができる。
【図面の簡単な説明】
【００１２】
【図１】歩行先前方照射灯を備えた障害物認知靴の側面図である。
【図２】歩行先前方照射灯を備えた障害物認知靴を靴置き台にセットした側面図である。
【符号の説明】
【００１３】
１  靴
２  ＬＥＤ
３  ボタン電池
４  電源スイッチ
５  センサー
６  制御装置
７  踵
１０  段差
１３、１４  接続端子    
１５  充電靴置き台
【図１】
2006288783.tif 000003
【図２】
2006288783.tif 000004
(57)【要約】【課題】  握ったままの硬直化防止と機能回復及び臭いの防止と芳香【解決手段】消臭パック（１）２個で握力回復スポンジ（２）を挟む形で消臭パック袋（３）に入れ、袋の紐（４）を手のひらに通し、２の形状に合わせて握る。２のテンションの強さは複数個あるテンション調整用穴（５）からスポンジを１個又は複数個抜くことにより、調整する。この利用により寝たきりの方や介護の必要な方が握ったまま硬直するという症状の防止及び回復に役立困つと同時に、不快な臭いを抑え介護の負担を減らすことができ、更にお茶の仄かな香りがアロマセラピー効果を発揮し気持ちを落ち着かせることが出来る。【選択図】図１
2006288529.tif 000002
【特許請求の範囲】
【請求項１】
スポンジの持つ弾力性を利用し、寝たきりの病人又は介護が必要な人間、患者などに握ったり緩めたりする運動をさせることにより、握った状態で手のひらが硬直する症状を防ぐと共に握力機能の回復に役立たせ、同時に予めパック状に茶葉を包装し一緒に袋に入れ握らせることにより、手のひらから発する臭いをお茶に含まれるカテキンのもつ消臭・殺菌効果で抑え、介護する人の負担を減らすことが出来るという特徴を持った握力回復消臭芳香器具。
【請求項２】
請求項１の消臭芳香器具に使うスポンジに複数の穴を設けその穴にあるスポンジを必要な分抜くだけで握るテンションを変化させることが出来、握る人の状態に合わせて握る強さの調整が効くという特徴を持った握力回復消臭芳香器具。
【請求項３】
仄かなお茶の香りが漂い、気持ちを落ち着かせるアロマセラピー効果があるという特徴を持った請求項１、２、記載の握力回復消臭芳香器具。
【発明の詳細な説明】
【技術分野】
【０００１】
本発明はスポンジの加工の応用及びお茶の芳香とお茶に含まれるカテキンの消臭・殺
菌作用による消臭効果に関するものである。
【背景技術】
【０００２】
従来寝たきりになると、手を握ったまま硬直することが多い為、色々な器具を握らせその症状の進行を防いでいたが、回復させる機能は無かった。
【０００３】
従来スポンジのテンション（弾力性）はスポンジの材質・形状・寸法及び発泡度等で決まり調整することは出来なかった。
【０００４】
従来寝たきりになると手を握り締めるようになる、その結果手から汗が出て不快な臭いが発生する。その原因は微生物がこの汗の分泌物などに含まれるたんぱく質や脂肪酸などを分解し、臭いの元となる生成物が生み出される為であり、時間が経てば経つほどその数が増え、臭いはきつくなる。又以前からお茶には消臭・殺菌効果があることは広く知られておりその臭いを抑える為、一般に市販されている茶葉に手間を掛けその都度入れ物に小分けしてカ−ゼ等に包み、寝たきりの患者などに握らせていた。
【０００５】
従来から有る活性炭等の消臭剤は、臭いは吸収するが芳香は無いか弱かった。
【特許文献１】特開２００２−１１４６１７
【特許文献２】特開２０００−０９５６５７
【特許文献３】登録実用新案第３０９２０９５号
【非特許文献１】林  栄一  著 : 新お茶は妙薬、平成２年５月１２日  静岡新聞
【非特許文献２】武田  善行著 : 茶のサイエンス、２００４年４月３０日  筑波書房
【非特許文献３】松下  智  著 : やさしい茶の科学  平成７年１０月２２日  淡交社
【発明の開示】
【発明が解決しようとする課題】
【０００６】
本発明が解決しようとする課題は以下の四点である。
まず寝たきりの患者が手を握ったまま硬直する症状を防ぐだけでなく、握力機能の回復を図ろうとする点。
次いで握る人の状態に合わせて握る強さの調整を図ろうとする点。
次いで市販のお茶をその都度小分けする手間を省き、消臭・殺菌効果に適した状態で茶葉を提供し介護する人の負担を減らそうとする点。
最後に、消臭と芳香を同時に実現させようとする点である。
【課題を解決するための手段】
【０００７】
本発明は握らせる物の材質をスポンジとし、握ったり緩めたりすることによって握ったまま硬直する症状を防ぐだけでなく、握力機能の回復に役立たせることができ、第一の課題を解決している。
次いで握る人の状態に合わせてスポンジの反発する強さを調整できる構造にし、第二の課題を解決している。
次いで茶葉を事前に小分けし適度な通気性と密封性を併せ持つパックに細かく粉砕し粉状にして包装することにより小分けする手間を省くと同時に、表面積を増やし市販の飲料用お茶より消臭・殺菌効果を高めた状態にして、第三の課題を解決している。
最後に本発明は消臭と芳香が同時に働くお茶を原料としていることにより、第四の課題を解決している。
【発明の効果】
【０００８】
上述の様に本発明の「スポンジ及びお茶を利用した握力機能回復・消臭・芳香・器具」を使用することにより、握ったまま硬直する症状の防止及び回復に役立たせる事が出来ると共に、寝たきりの方や介護されている方が困っている不快な臭いを抑え、介護の負担を減らし、同時にお茶の仄かな香りが漂うことにより発揮されるアロマセラピー効果により、寝たきりの病人又は介護が必要な人間の気持ちを落ち着かせることができる。
【発明を実施するための最良の形態】
【０００９】
握らせるスポンジ(以下「握力回復スポンジ」と記載) は手のひらにフィットする形状と複数の穴を持ち、この穴にあるスポンジを、握る力に合わせ1個又は複数個抜くことにより適度なテンションが得られ、これを用いて握ったり緩めたりする運動を行わせることにより、握ったままの硬直化を防ぐと同時に握力機能の回復に役立たせることが出来る。更に茶葉を細かく粉砕し適度な通気性と、粉砕したお茶の粉がこぼれ落ちない程度の密封性を併せ持つパック（以下、「消臭パック」と記載）に適量パッキングしている。この消臭パックと握力回復スポンジを袋（以下、「消臭パック袋」と記載）に入れ握らせると、お茶の成分であるカテキンの消臭・殺菌効果によって手のひらから発生する不快な臭いが防止出来る。又お茶の仄かな香りが漂うことでアロマセラピー効果が発揮され、寝たきりの病人又は介護が必要な人間の気持ちを落ち着かせる事が出来る。
【実施例】
【００１０】
消臭パック（１）２個で握力回復スポンジ（２）を挟む形で消臭パック袋（３）に入れ、袋の紐（４）を手のひらに通し、２の形状に合わせて握る。２のテンションの強さは複数個あるテンション調整用穴（５）からスポンジを１個又は複数個抜くことにより、調整する。
【産業上の利用可能性】
【００１１】
寝たきりの方や介護されている方の手のひらが、握ったままで硬直化するのを防ぐと同時に握力機能の回復に役立ち、更に介護施設の職員や自宅で介護する人達の臭いに対する悩みを解決し介護の負担低減化が図れる。
【図面の簡単な説明】
【００１２】
【図１】スポンジ及びお茶を利用した握力機能回復・消臭・芳香・器具の説明図である。
【符号の説明】
【００１３】
１消臭パック
２握力回復スポンジ
３消臭パック袋
４紐
５テンション調整用穴
【図１】
2006288529.tif 000003
(57)【要約】【課題】  火災時に人が有毒ガスや高温の中を避難する。【解決手段】  略矢印形状の先端１とは反対側の端２を開放し、それ以外の端３が全て閉じた袋状体４の先端側１の片面に透明材６からなる窓５を設ける。【選択図】        図１
2006288410.tif 000002
【特許請求の範囲】
【請求項１】
略矢印形状の先端（１）とは反対側の端（２）を開放し、それ以外の周囲の端（３）が全て閉じた袋状体（４）の先端（１）側の片面に透明材（６）からなる窓（５）を設けてなる避難服。
【発明の詳細な説明】
【技術分野】
【０００１】
本発明は火災に際して、避難することに関するものである。
【背景技術】
【０００２】
これまで、人が通常の服装のままで有毒ガスや高温の中を避難していた。
【発明の開示】
【発明が解決しようとする課題】
【０００３】
しかしながら上記の状態では人が通常の服装のままで有毒ガスや高温の中を避難することは困難である。
【課題を解決するための手段】
【０００４】
上記課題を解決するために、請求項１記載の発明は略矢印形状の先端とは反対側の端を開放し、それ以外の周囲の端が全て閉じた袋状体に形成し、先端側の片面に透明材からなる窓を設ける。
【発明の効果】
【０００５】
本発明は、以上説明したように構成されているので、袋状体の中には空気が一定量保持される。先端側の片面に設けた透明材からなる窓は視界を確保する。略矢印形状の返り部（図１の７）は手・腕を入れる作用をする。火災時に避難服を全身に被ることにより、視界が確保され、手・腕の自由が効き、避難服と人（図２の８）の間には空気が確保され、通常の呼吸が可能である、という効果を奏する。
【０００６】
これを図２（ａ）、（ｂ）のように略矢印形状の先端側に頭を入れ、略矢印形状の返り部に手・腕をいれる。このように着用すると、手の自由が効き、返り部から有毒ガスや高温のガスが進入することはない。袋状体の中には一定量の空気が確保されるので一定時間の呼吸可能の効果がある。略矢印形状の先端側の片面に耐熱ガラス等の透明材からなる窓を設けると視界が確保され避難に有効である。
【０００７】
図３、図４に於ける実施例においては、頭部の空気をより多く確保することに有効である。
【発明を実施するための最良の形態】
【０００８】
発明の実施の形態を実施例にもとづき図面を参照して説明する。図１は本発明の実施例である。この避難服はアルミニュウムコーテッド等の耐熱加工された素材で、縫合等の方法により先端１を有する略矢印形状の袋状体４に形成し、略矢印形状の先端１とは反対側の端２を開口して、それ以外の周囲の端３は閉じておく。略矢印形状の先端１側の片面に耐熱ガラス等の透明材６からなる窓５を設ける。これを図２（ａ）、（ｂ）のごとく使用いる。
【０００９】
先端形状が、図３のごとく先端１を円弧状略矢印形状の袋状体４に形成する。
【００１０】
先端形状が、図４のごとく先端１を多角形の略矢印形状の袋状体４に形成する。
【図面の簡単な説明】
【００１１】
【図１】避難服の正面図である。
【図２】着用実施例図である。
【図３】着用実施例図である。
【図４】着用実施例図である。
【符号の説明】
【００１２】
１  先端
２  反対側の端
３  周囲の端
４  袋状体
５  窓
６  透明材
７  返り部
８  人
【図１】
2006288410.tif 000003
【図２】
2006288410.tif 000004
【図３】
2006288410.tif 000005
【図４】
2006288410.tif 000006
(57)【要約】【課題】軟調のロッドや細いライン使用時、対象魚の鋭い歯や顎の力でルアー本体が口の中で止まりフックアップには至らず、これがバレの１つの原因になっていた。そこでこの発明は、ルアー本体に取り付けた回転体の作用で、ルアー本体が対象魚の口内に止まらず対象魚の口から滑り出る動きにする事で、釣り人のあわせの動作がスムーズにして、フックアップを容易にする。さらに通常、魚の表面にある滑りを回転体の作用によって再現、それにより、ルアーの違和感を減少、その結果対象魚がより長くルアーに執着することにより釣果を向上させる、釣り用ルアーを提供する事を課題とする。【解決手段】以上の課題を解決するために、ルアー本体に回転体を取り付けた事を特徴とする釣り用ルアー。【選択図】図１
2006288304.tif 000002
【特許請求の範囲】
【請求項１】
ルアー本体に回転体を取り付け、釣果を向上させる事を特徴とする釣り用ルアー。
【請求項２】
ルアー本体に取り付けた回転体が、外部からの影響で回転する事を特徴とする請求項１記載の釣り用ルアー。
【発明の詳細な説明】
【技術分野】
【０００１】
この発明は、ルアー本体に回転体を取り付けルアーの違和感を減少させ、フックアップを容易にして釣果を向上させる、釣り用ルアーに関する。
【背景技術】
【０００２】
従来の釣り用ハードルアーの表面は、ルアー本体部材の上に様々な、魚に興味を持たせる部材を貼り付け、その上に、色落ちや強度保持の為、樹脂、有機溶剤などでコーティングされていて、表面は硬く滑らない物である。
【発明の開示】
【発明が解決しようとする課題】
【０００３】
しかしながら以上の技術によれば、軟調のロッドや細いライン使用時、対象魚の鋭い歯や顎の力でルアー本体が口の中に止まりフックアップには至らない、これがバレの一つの原因になっていた。そこで、この発明は、ルアー本体に取り付けた回転体の作用でフックアップを容易にして、さらに回転体の作用でルアーの違和感を減少させ、対象魚により長く執着させる事により、釣果を向上させる釣り用ルアーを提供する事を課題とする。
【課題を解決するための手段】
【０００４】
以上の課題を解決する為に、第一発明は、ルアー本体に、回転体を取り付け、釣果を向上させる事を特徴とする釣り用ルアー。第二発明は、ルアー本体に取り付けた回転体が、外部からの影響で回転する事を特徴とする釣り用ルアー。
【発明の効果】
【０００５】
第一発明、第二発明によれば、フックアップの過程でルアー本体が対象魚の口内に止まらず滑り出る動きになる、したがって、釣り人のあわせの動作がスムーズになる。さらに通常、魚の表面にある滑りの効果を回転体の作用によって擬似的に再現、その結果、対象魚が長くルアーに執着することによりフックアップが容易になる、特に軟調のロッドや細いライン使用時に効果大である。
【発明を実施するための最良の形態】
【０００６】
この発明の一実施形態を、図１に示す。１はルアー本体、２はライン取り付け用リング、３は上部回転体、４は下部回転体、５は後部フック取り付け用リング、６はフックである。
【０００７】
図３を参照にして、回転体３の材料は樹脂及び金属製であり、中心１１にはステンレスの軸より少し大きめの貫通された穴がある、ルアー本体には、この回転体が二分の一から三分の二隠れ、外周に触れない隙間を取った窪み９がある、窪みの底にはステンレスの軸が収まる穴８がある、ここに回転体を通した軸を、進行方向に対して９０度垂直に取り付ける。
【０００８】
図２を参照にして、これにより回転の向きは、矢印の向きｐ、ｑになる。
【実施例】
【０００９】
この実施形態によれば、回転体の作用で、あわせがスムーズになり、フックアップが容易になる、回転体に色を付ければ、視覚的効果もある。
【００１０】
図１の実施形態では、ルアーの種類はミノーで、回転体の数は２個だが、他の実施形態では、対象魚の種類や大きさによってヒットの仕方に違いがある為、それに合わせて、回転体の数や取り付ける場所をフックの影響が無い場所に設置したものでも良い。回転体を取り付け可能ならば、ミノー以外のルアーにも利用が可能である。
【図面の簡単な説明】
【００１１】
【図１】この発明の一実施形態を示す斜視図である
【図２】横からの透視図である
【図３】図２のＺ，Ｘの断面図である。
【符号の説明】
【００１２】
１  ルアー本体                      
２  ライン取り付け用リング
３  回転体、上部                    
４  回転体、下部
５  後部フック取り付け用リング      
６  フック
７  ステンレスワイヤー              
８  ステンレスワイヤー取り付け穴
９  回転体、取り付け用の窪み      
１０  前部フック取り付け用リング
１１  ステンレスワイヤーを通す貫通された穴
【図１】
2006288304.tif 000003
【図２】
2006288304.tif 000004
【図３】
2006288304.tif 000005
(57)【要約】【課題】海藻増養殖のための養成幹綱と種糸の撚りおよび解きを自動で行う装置を提供する。【解決手段】養成幹綱の巻出しと同時にその外周に螺旋状に種糸を撚ることができるウインチを配置することで自動的に養成幹綱と種糸の展張ができると共に、その逆操作で養成幹綱の巻込みと同時に種糸を解くことができることで効率化並びに就労漁民に対する過重労働からの緩和を図った。【選択図】図１
2006288316.tif 000002
【特許請求の範囲】
【請求項１】
幹綱周囲に種糸を螺旋状に撚りながら幹綱と種糸を同時に巻き出すことが出来き、逆に螺旋状に幹綱周囲に撚っている種糸をはがしながら幹綱の巻き込み回収と種糸回収が同時にできる幹綱回収ウインチ及び種糸撚り装置。
【請求項２】
幹綱及び種糸の収納ドラムを取外すことの出来る請求項１記載の幹綱回収ウインチ及び種糸撚り装置。
【請求項３】
種糸をドラムに巻き込んだ状態で胞子槽に浸漬し、種糸にドラム側内面からも充分着床するよう丸鋼で組んだ種糸収納ドラムとした請求項１記載の幹綱回収ウインチ及び種糸撚り装置。
【請求項４】
幹綱回収ドラム及び種糸回収ドラムのそれぞれの最適速度に調整が出来るような速度制御装置をもつ請求項１記載の幹綱回収ウインチ及び種糸撚り装置。
【発明の詳細な説明】
【技術分野】
【０００１】
本発明は、海藻増養殖のための養成幹綱と種糸を自動で撚ったり、解いたりできる省力化機械装置に関するものである。
【背景技術】
【０００２】
現状、海藻増養殖のための養成幹綱及び種糸の展張及び回収は就労漁民の手作業で行われており、効率的な面からも労働条件的な面からも厳冬の海上での過酷な作業である。
【０００３】
この出願の発明に関連する先行技術文献情報としては次のものがある。
【特許文献１】特開2004−65113号公報
【発明の開示】
【発明が解決しようとする課題】
【０００４】
従来、厳冬の海上で就労漁民の手作業で行われてきた養成幹綱及び種糸の展張や回収は、就労漁民の高年齢化並びに海象条件の厳しさから、ますます従事者が減少し衰退傾向である。
【０００５】
また、前記先行技術(特開2004−65113号公報)においても、展張回収方法の改善ではなく、問題は解決しない。
【課題を解決するための手段】
【０００６】
本発明は、養成幹綱と種糸を人手ではなく機械装置を使って自動的に撚りながら巻き出すと共に、回収も同様に行うことにより省力化を計り就労漁民の肉体的負担の軽減と安全性の向上を目指すものである。
【発明の効果】
【０００７】
本発明は、就労漁民の負担軽減及び安全操業に資すると共に、養成幹綱及び種糸の敷設回収のスピードアップが計られ、ひいては収穫量の増大が期待できる。
【発明を実施するための最良の形態】
【０００８】
以下、本装置の実施の形態として図１〜図２に基づいて説明する。
【０００９】
図１に示すように、共通台床(0)上に幹綱巻込ウインチ(1)、大歯車(2)、大歯車を支持する外接ギア(6)、外接ギア(6)を取り付けるギアケース(5)、大歯車を駆動する大歯車駆動モーター(3)、大歯車の片側面上に取り付けられた種糸ウインチ(7)、ギアケース面上に取り付けられた環状ギア(8)、環状ギアと種糸ウインチとの間の伝動装置(9、10)が設置される。
【００１０】
養成幹綱(13)は幹綱巻込みウインチ(1)のドラムに収納されており、大歯車(2)の中心穴である幹綱貫通穴(14)を貫いて巻き出される。
【００１１】
大歯車(2)は大歯車駆動モーター(3)によって大歯車駆動用ギア(4)を介して駆動される。
大歯車駆動モーター(4)は回転数の制御が可能な方式であり、大歯車(2)の回転数を増減出来る。
【００１２】
大歯車はギアケース(5)に取り付けた３箇所の外接ギア(6)によって支持されている。
【００１３】
大歯車(2)片側面上に種糸ウインチ(7)を設置する。種糸ウインチ(7)のドラムは丸鋼にて組み立てられ、取外し可能な構造である。
【００１４】
大歯車(2)を収納したギアケース(5)の片側に、環状ギア(8)が貼り付けてある。
【００１５】
ラックとピニオンの方式で、環状ギア上を動くピニオン(9)から２箇の傘歯車(10)を介して種糸ウインチ(7)に伝達され、大歯車(2)が回転することで種糸ウインチ(7)が回転する。
【００１６】
種糸ウインチ(11)のドラムに巻き込まれた種糸(15)は大歯車本体にあけられた種糸貫通穴(11)を通り、大歯車(2)本体の種糸ウインチ(7)の反対側に取り付けた、こさぎ器を兼用した種糸案内器(12)を介し幹綱に結ばれる。
【００１７】
あらかじめ幹綱巻込ウインチ(1)のドラムに巻込まれた養成幹綱(13)の端末を幹綱貫通穴(14)から出しておく。
同様に、種糸ウインチ(7)のドラムから種糸貫通穴(11)を通して種糸(15)の端末を引き出し、
養成幹綱(13)に結ぶ。
【００１８】
上記養成幹綱(13)の端末を展張しようとする起点の浮玉に結束するなど張力を掛けながら幹綱巻込ウインチを巻き出して行く。
同時に大歯車駆動モーター(3)を種糸ウインチ(7)が巻き出し側になるような回転方向で
駆動させる。
【００１９】
上記要領で連続運転すると、養成幹綱(13)外周に種糸(15)が螺旋状に巻かれながら巻き出されて行く。螺旋の撚りのピッチは大歯車駆動モーター(3)の回転数の変化で制御できる。
また、養成幹綱の巻き出し速度も幹綱巻込みウインチ(1)の駆動モーターの回転数変化で制御できる。
【００２０】
前述の手順と逆工程で養成幹綱(13)及び種糸(15)を巻込み、それぞれのドラムに収納する。
なお、種糸こさぎ兼用案内器で海藻類の根の部分をこさいだ後、種糸ウインチのドラムに
巻込まれる。
【００２１】
養成幹綱巻込ウインチ及び種糸ウインチのドラムは軸受け部分を開放することにより取付取外しができ、別のドラムと入れ替えることが出来る。
【図面の簡単な説明】
【００２２】
【図１】本装置の側面図
【図２】本装置のA〜A断面図
【符号の説明】
【００２３】
0  本装置の共通台床
1  養成幹綱巻込ウインチ
2  大歯車、養成幹綱の周囲を公転する種糸ウインチを取り付けるための歯車。
3  大歯車駆動用モーター
4  大歯車駆動用ギア
5  ギアケース、外接ギアと環状ギアを取り付けるための枠
6  外接ギア、大歯車を支持する歯車
7  種糸ウインチ
8  環状ギア、種糸ウインチを駆動させるためにギアケースに取り付けた環状の歯
9  ピニオン、環状ギア上を移動する歯車
10  傘歯車、上記ピニオンと連結された方向を変えるための歯車
11  種糸貫通穴、種糸が大歯車を貫通するための長穴
12  種糸こさぎ兼用案内器、種糸を螺旋状に養成幹綱に巻くためのガイドであり収穫時には海藻の根部分をこさぎ落とす装置
13  養成幹綱
14  養成幹綱貫通穴、大歯車の中心に開けれた養成幹綱用の穴
15  種糸
【図１】
2006288316.tif 000003
【図２】
2006288316.tif 000004
(57)【要約】【課題】  建築用材などの目的で、造林された場合の育樹の過程では、枝打ち作業が欠かせないが、そこでの木登り具として従来の器具は、大きかったり手間がかかったりして不具合が多いので、この点の解決を課題とする。【解決手段】  本木登り器は両足に付けて、右左交互に体重を移しながら登るもので、それは、木にゆとりを持って巻きつけた、調整可能な硬質のバンドを配し、その一箇所に短い爪７、その反対側にプレート５を介して右足載せ台２が連結されたものである。バンドはプレートに組み込まれたスプリングにより常にプレート５を支点に爪７側が持ち上げられているので、右足載せ台２に荷重がかかるとすぐ爪７が食い込み、右ロック部分４が木に押し当たって体重を支える、そして、足を持ち上げると、そのままの状態で全体が登ってゆく、これにより課題を解決できる。【選択図】    図１
2006288370.tif 000002
【特許請求の範囲】
【請求項１】
二箇所を持ったとき、垂れ下がらないような硬い帯を、少しスキマをあけて木に巻いて、その一箇所を常に持ち上げている様な状態を作り、その反対の下がった部分にＬ字型の足載せ台を付けた構造を特徴とする木登り器。
【請求項２】
両足に付ける木登り器において、Ｌ字型足載せ台の垂直部分を片方だけ長くして、一回のステップで、より高く登れるようにしたことを特徴とする木登り器。
【発明の詳細な説明】
【技術分野】
【０００１】  本発明は、主に樹木の枝打ち作業などの為の木登り器で、両足に付けるものを提供するものです。
【背景技術】
【０００２】  両足に器具を付けての木登り器は、靴にスパイク状のものをつける方法がある、又、木の周りにロープを巻いて下がり止めとするものに実用新案文献１がある。
【実用新案文献１】
実開  平０５−０８８２４９号広報
【発明の開示】
【発明が解決しようとする課題】
【０００３】  植林された、唐松、杉等の木を育てる過程では枝打ち作業が欠かせないが、作業場所が急斜面の山中が主であり、大変な体力と危険が伴う、従来の一本梯子や与作などは器具が重く扱いが大変である、又、木に足場を付けながら登る器具は手間がかかる等不具合が多いので、この解決を課題とする。
【課題を解決する手段】
【０００４】  この課題を解決する為の請求項１の発明は、硬い材質の帯の一箇所を常に持ち上げることにより、帯は木に密着した形となり、足載せ台に荷重がかかると即爪７が食い込むと同時にロック部分４にも食い込み力が働き、荷重が増えるに従い保持力は増して荷重を支える、そして足載せ台を上げると、そのままの形で全体が上がってゆき操作性がとても良い。
【０００５】  請求項２の発明は、この木登り器を両足に付けたとき、木に巻いたバンド６が互いに邪魔になり、ワンステップの移動距離が短くなってしまうので、互いのバンドとの距離を離すため片方の足載せ台の垂直部分を長くし、ワンステップの移動距離を大きく取れるようにしたもので、これにより効率よく移動が出来る。
【０００６】  本発明は両足に器具を付け、交互に体重を移しながら登るもので、木に巻くバンド右６には爪７と先にアジャスター８が付いていて、バンド左９と連結する。又、バンドの他端はプレート５とシャフト１０により連結され、プレート５には足載せ台２が付き足を固定する靴バンド右前３などが付いている、又、プレート５には、バンドの爪７側を持ち上げるようにスプリング１３が組み込まれている。
【０００７】  本発明品の使用方法は、まず左足用のバンドを木に回し、木とのスキマが２ｃｍ位になるようにアジャスターで連結する、次に右足用のバンドも同様に木に取り付ける、そして足載せ台に足を固定して、右足用のバンドと左足用のバンドが重ならないように、交互に体重を移動しながら登ってゆく、降りるときはバンドを手で押し下げながら降りる。
【発明の効果】
【０００８】  本発明品は木の直径で、例えば１５ｃｍ〜３０ｃｍまで一つのバンドで対応出来、軽量なので持ち運びが容易であることから従来の大きなもの、重いものを持って急斜面を移動しなくてすむので作業効率が良くなる。
【発明を実施するための最良の形態】
【０００９】  本発明品は、主に植林された唐松、杉等、表皮の厚い木に向いている、又、曲がった木には適さない。【００１０】  本発明品には爪がついているが、これは長さが３ｍｍ程で、先も鋭くしないで平らな部分が１〜２ｍｍある方が登りやすいので、唐松、杉のような木では皮を突き抜けるような傷は付かない。【００１１】  バンドは全周が平らな板の場合、登ってゆくとき、めくれ返った木の皮に食い込んでしまう為、足側の半円部分は、バンドの外周を反り返らせておく、そして登ってゆく時はプレート部を木に当てながら登ってゆくと良い。【００１２】  アジャスターは荷締め用等で使われている構造のものだが、今回の使い方では連続的に調整する必要が無く、１．５ｃｍ間隔位で確実に固定できれば良いので、バンドの表面に１．５ｃｍ間隔で凸凹を付ける等の方法を取ることにより、安全なアジャスターが作れる。又、この部品の使用により、登るに従い樹径が細くなっても途中で調整することが出来る。【００１３】  アジャスター８を動かさないで使用できる樹径の範囲は、例えば登り始め位置での樹径が２２ｃｍだった場合、１９ｃｍに細くなるまで登れ、それ以下ではアジャスターを調整して登る。【００１４】  高いところへ登るので安全が第一であるが、本発明品は足が器具を介して木に付いているので踏み外すことは無い。その為安全ベルトは体が仰け反らなければ良いので、ゆったりした設定でよく、動作がスムーズに行なえる。
【産業上の利用可能性】
【００１５】  本発明に係る木登り器は、工業的に量産が可能である為、産業上の利用可能性を有する。
【図面の簡単な説明】
【００１６】
【図１】  本、木登り器の斜視図を示す（右用、左用）。
【図２】  爪部の断面図（Ａ〜Ａ’）である。
【図３】  左足用の正面図である。
【図４】  プレート部の断面図（Ｂ〜Ｂ’）である。
【図５】  アジャスター部の断面図（Ｃ〜Ｃ’）である。
【符号の説明】
【００１７】１    靴バンド右後
２    右足載せ台
３    靴バンド右前
４    右ロック部分
５    プレート
６    バンド右
７    爪
８    アジャスター
９    バンド左
１０  シャフト
１１  左足載せ台
１２  左ロック部分
１３  スプリング
１４  ロックレバー
【図１】
2006288370.tif 000003
【図２】
2006288370.tif 000004
【図３】
2006288370.tif 000005
【図４】
2006288370.tif 000006
【図５】
2006288370.tif 000007